(57)【要約】  タブレットデバイスに磁着されるカバーについて説明されている。このカバーは、少なくともフラップを備える。説明される実施形態において、このフラップは、複数のセグメントを含む。カバーは、そのカバー及びタブレットデバイスと関連付けられた複数の有用な特徴を提供する複数の磁気配置構成へと形態変更される複数の磁石を備える。
2016534449.tif 000002
【特許請求の範囲】
【請求項１】
タブレットデバイスに装着し、該前記タブレットデバイスを保護するのに適したカバーであって、
前記タブレットデバイスは、前面開口を有する筐体と、前記筐体によって担持されるディスプレイであって、少なくとも前記ディスプレイに被され、かつ前記前面開口を満たすサイズ及び形状を有する外部保護層を伴うディスプレイと、を有し、
前記カバーは、
折り曲げて折り曲げ構成にすることのできる、前記ディスプレイの前記サイズ及び前記形状を有するフラップを備え、前記フラップは、
前記フラップの第１のエッジに沿って、かつ平行に位置付けられた直線配列磁石であって、前記直線配列磁石の少なくともいくつかが、前記フラップを前記外部保護層に係止するように構成された第１の磁場を提供するように構成されている直線配列磁石と、
前記直線配列磁石から離れ、かつ、オフセットされて配置された磁界整形磁石であって、前記磁界整形磁石は、前記直線配列磁石が前記フラップを前記外部保護層に係止した場合に前記筐体によって担持された磁気感知構成要素の位置に対応する前記フラップ上の位置で合成磁界を提供するために、前記第１の磁場と相互作用する第２の磁場を提供するように構成され、前記合成磁界は前記磁気感知構成要素において既定かつ予測可能な磁気オフセットをもたらす、磁界整形磁石と、を備える、
カバー。
【請求項２】
前記第１のエッジの反対側にある前記フラップの第２のエッジに沿って、かつ平行に配列された直線配列磁石を更に備え、前記フラップの前記第２のエッジ沿った前記直線配列磁石は、前記第１のエッジにある前記直線配列磁石のサブセットに対して平行である、請求項１に記載のカバー。
【請求項３】
前記フラップが、前記第１のエッジだけが前記第２のエッジに近接する前記カバーと接触するような形状に折り曲げられると、前記第２のエッジにある前記直線配列磁石のそれぞれが、前記第１のエッジにある前記磁石のサブセットのうちの対応する磁石と磁気回路を形成する、請求項２に記載のカバー。
【請求項４】
前記第１のエッジ又は前記第２のエッジにある前記磁石のいずれも、前記磁気回路を形成するために、それぞれが重ね合わされることはない、請求項３に記載のカバー。
【請求項５】
前記形状が、前記タブレットデバイスを稼働構成で支持するのに適した支持構造体を形成する、請求項４に記載のカバー。
【請求項６】
前記タブレットデバイスを前記稼働構成で支持する間、前記磁気回路が、前記支持構造体を維持するのに十分な磁気吸引力を提供する、請求項５に記載のカバー。
【請求項７】
前記第２のエッジにあり、前記第２のエッジを越えて前記フラップと連続する可撓性ヒンジ部分を備える磁気ヒンジアセンブリと、
前記タブレットデバイスと着脱可能な磁気アタッチメントを形成するように構成された磁気アタッチメントユニットと、
を更に備える、請求項２から６のいずれか一項に記載のカバー。
【請求項８】
前記磁気ヒンジアセンブリは、前記フラップが、前記外部保護層に係止されている前記フラップを備える閉構成から、前記筐体の背面部と接触している前記フラップの少なくとも一部分を備える逆折り曲げ構成へと、前記外部保護層に対して枢動することを許容する、請求項７に記載のカバー。
【請求項９】
前記磁気感知構成要素が磁力計である、請求項１に記載のカバー。
【請求項１０】
前記磁力計が磁気コンパスとして動作する、請求項９に記載のカバー。
【請求項１１】
前記フラップ内の第１の箇所に配設された第１のセンサ磁石であって、前記フラップが前記直線配列磁石によって前記外部保護層に係止されている場合に、前記タブレットデバイスが担持する第１のセンサが検出可能な、前記第１のセンサ磁石と、
前記フラップ内の第２の箇所に配設された第２のセンサ磁石であって、前記フラップの対応部分が前記外部保護層と接触している場合に、前記タブレットデバイス内に配設された第２のセンサが検出可能な、前記第２のセンサ磁石と、
を更に備える、請求項１に記載のカバー。
【請求項１２】
前記第１のセンサによる前記第１のセンサ磁石及び前記第２のセンサ磁石の前記検出は、前記第１のエッジにある前記直線配列磁石によって前記フラップが前記外部保護層に係止されていることを示している、請求項１１に記載のカバー。
【請求項１３】
前記第１のセンサ磁石が検出されず、前記第２のセンサ磁石が検出される場合は、前記第２のセンサ磁石に対応する前記フラップの前記部分だけが前記外部保護層と接触していることを示している、請求項１２に記載のカバー。
【請求項１４】
前記タブレットデバイスによって担持され、前記第１のセンサ及び前記第２のセンサに結合されたプロセッサが、前記タブレットデバイスの動作状態を変更するために、前記第１のセンサ磁石及び／又は前記第２のセンサ磁石の前記検出を使用する、請求項１３に記載のカバー。
【請求項１５】
前記第１のセンサ磁石及び前記第２のセンサ磁石がそれぞれ、前記外部保護層に対する前記フラップの回転変位の回転中心からの距離に応じたサイズ及び形状を備え、前記回転変位は最大ラッキング角度に対応する、請求項１１に記載のカバー。
【請求項１６】
前記第１のセンサ磁石及び前記第２のセンサ磁石の前記サイズ及び前記形状は、前記フラップが前記直線配列磁石によって前記外部保護層に係止されている場合に、前記第１のセンサ磁石及び前記第２のセンサ磁石がそれぞれ前記第１のセンサ及び前記第２のセンサによって依然として検出可能であるサイズ及び形状である、請求項１５に記載のカバー。
【請求項１７】
前記回転変位が、前記最大ラッキング角度未満のラッキング角度に対応する限り、前記第１のセンサ磁石及び前記第２のセンサ磁石が依然として検出可能である、請求項１６に記載のカバー。
【請求項１８】
前記ラッキング角度が前記最大ラッキング角度よりも大きいと、前記第１の磁気センサ磁石及び前記第２の磁気センサ磁石が前記第１のセンサ及び前記第２のセンサによって検出されない、請求項１６に記載のカバー。
【請求項１９】
前記ラッキング角度が前記最大ラッキング角度よりも大きいと誤トリガが開始される、請求項１８に記載のカバー。
【請求項２０】
前記タブレットデバイスが、
前記磁気アタッチメントユニットに着脱可能に装着するのに適した、前記筐体によって担持された磁気アタッチメント機構を更に備え、前記磁気アタッチメント機構が、
前記筐体の内面に適合する形状を有する着磁性材料を備える本体を備える対を成す磁気素子であって、前記本体の第１の部分が第１の磁極性を備え、前記本体の第２の部分が、前記第１の磁極性とは反対の第２の磁極性を備えるようにその場で磁化される対を成す磁気素子を備える、請求項７に記載のカバー。
【請求項２１】
前記磁気アタッチメントユニットが、着磁性材料を備える本体をそれぞれ備える対を成す磁気素子を備え、前記対を成す磁気素子は、前記本体の第１の部分が前記第２の磁極性を備え、前記本体の第２の部分が前記第１の磁極性を備えるようにその場で磁化される、請求項２０に記載のカバー。
【請求項２２】
前記磁気アタッチメント機構によって担持され、及び前記磁気アタッチメントユニットによって担持された前記対を成す磁気素子が、前記カバーを前記タブレットデバイスに、互いに対して所定の位置及び向きで係止するのに適した磁気回路を形成する、請求項１５に記載のカバー。
【請求項２３】
タブレットデバイスであって、
前面開口を有する筐体と、
前記前面開口内に配設されたディスプレイアセンブリであって、ディスプレイ及び前記ディスプレイに隣接して配設された最上位保護層を備えるディスプレイアセンブリと、
複数の磁気センサと、
前記筐体内に配設され、前記筐体の内部側壁に係止された磁気アタッチメントユニットと、を備えるタブレットデバイスと、
カバーであって、
第１の材料で形成され、前記ディスプレイに応じたサイズ及び形状を有するフラップと、
前記フラップの前記第１の材料の連続層で形成された可撓性ヒンジ、を備える一体型ヒンジアセンブリと、
前記磁気アタッチメントユニットをアクティブ化して、前記タブレットデバイス及び前記カバーを互いに磁着させるように構成されたヒンジ磁気アタッチメントユニットと、
複数の磁石であって、前記フラップが前記最上位保護層と完全に接触している場合にのみ、前記複数の磁石のうちのいくつかが前記複数のセンサのうちの対応するセンサによって検出可能であり、前記完全閉構成での使用中に前記フラップが受ける前記枢動運動の量に応じたサイズ及び形状をそれぞれが有することによって、前記磁石が、枢動運動の間中、前記対応するセンサによって検出可能である、複数の磁石と、
を備えるカバーと、
を備えるコンシューマシステム。
【請求項２４】
前記カバーが、
前記フラップの第１のエッジ沿いに位置付けられた第１のエッジ磁石と、
対応する第１のエッジ磁石と位置合わせされ、前記第１のエッジの反対側にある前記フラップの第２のエッジに沿って位置付けられた第２のエッジ磁石と、を更に備え、前記第１のエッジ磁石及び前記第２のエッジ磁石が、前記フラップを三角形支持構造体に維持するために協働する複数の磁気回路を形成するように構成されている、請求項２３に記載のコンシューマシステム。
【請求項２５】
前記一体型ヒンジアセンブリが前記第２のエッジに装着される、請求項２３に記載のコンシューマシステム。
【請求項２６】
前記フラップが、前記第１のエッジ磁石に近接して配設され、前記フラップが前記完全閉構成にある場合にのみ、前記第１のエッジ磁石と関連付けられた磁気オフセット値を、前記フラップ上の選択された箇所で所定の磁気オフセット値未満に下げるように構成された磁界整形磁石を更に備える、請求項２３に記載のコンシューマシステム。
【請求項２７】
前記選択された箇所は、前記タブレットデバイス内に配設された磁力計回路に対応する、請求項２６に記載のコンシューマシステム。
【請求項２８】
前面開口を有する筐体と、前記筐体によって担持されるディスプレイとを有し、少なくとも前記ディスプレイに被され、かつ前記前面開口を埋めるサイズ及び形状を有する外部保護層を伴う、タブレットデバイスであって、
前記外部保護層における箇所に対応する、前記筐体によって担持された磁気感知構成要素と、
前記筐体によって担持され、かつ前記外部保護層の下にある磁気吸引可能な素子であって、前記外部保護層の前記サイズ及び形状を有するフラップの第１のエッジに沿って、かつ平行に位置付けられた直線配列磁石と、前記外部保護層を通して磁気回路を形成するのに適した磁気吸引可能な素子と、を備え、前記磁気回路が前記フラップを前記外部保護層に係止し、前記磁気回路が、前記フラップ内に配設され、前記直線配列磁石から離れ、かつ、オフセットされて配置された磁界整形磁石からの磁場と相互作用する磁場を形成して、前記外部保護層を通して、前記磁気感知構成要素において、既定かつ予測可能な磁気オフセットをもたらす合成磁界を提供する、タブレットデバイス。
【請求項２９】
前記フラップが、
前記第１のエッジの反対側にある前記フラップの第２のエッジに沿って、かつ平行に配列された直線配列磁石であって、前記フラップの前記第２のエッジ沿いの前記直線配列磁石が、前記第１のエッジにある前記直線配列磁石のサブセットに対して平行である、直線配列磁石を更に備える、請求項２８に記載のタブレットデバイス。
【請求項３０】
前記フラップが、前記第１のエッジだけが前記第２のエッジに近接する前記カバーと接触するような形状に折り曲げられると、前記第２のエッジにある前記直線配列磁石のそれぞれが、前記第１のエッジにある前記磁石のサブセットのうちの対応する磁石と磁気回路を形成する、請求項２９に記載のタブレットデバイス。
【請求項３１】
前記第１のエッジ又は前記第２のエッジにある前記磁石のいずれも、前記磁気回路を形成するために、それぞれを重ね合わせることをしない、請求項３０に記載のタブレットデバイス。
【請求項３２】
前記形状が、前記タブレットデバイスを稼働構成で支持するのに適した支持構造体を形成する、請求項３１に記載のタブレットデバイス。
【請求項３３】
前記磁気回路が、前記タブレットデバイスを前記稼働構成に支持する間、前記支持構造体を維持するのに十分な磁気吸引力を提供する、請求項３２に記載のタブレットデバイス。
【請求項３４】
前記第２のエッジにあり、前記第２のエッジを越える前記フラップの連続である可撓性ヒンジ部分を備える磁気ヒンジアセンブリと、
前記タブレットデバイスと着脱可能な磁気アタッチメントを形成するように構成された磁気アタッチメントユニットと、を更に備える、請求項２９から３３のいずれか一項に記載のタブレットデバイス。
【請求項３５】
前記磁気ヒンジアセンブリにより、前記フラップが、前記外部保護層に対して枢動して、前記外部保護層に係止されている前記フラップを備える閉構成から、前記筐体の背面部と接触している前記フラップの少なくとも一部分を備える逆折り曲げ構成へと変わることができる、請求項３４に記載のタブレットデバイス。
【請求項３６】
前記磁気ヒンジアセンブリにより、前記フラップが、前記外部保護層に対して枢動して、前記外部保護層に係止されている前記フラップを備える閉構成から、前記筐体の背面部と接触している前記フラップの少なくとも一部分を備える逆折り曲げ構成へと変わることができる、請求項３５に記載のタブレットデバイス。
【請求項３７】
前記磁気感知構成要素が磁力計である、請求項２８に記載のタブレットデバイス。
【請求項３８】
前記磁力計が磁気コンパスとして動作する、請求項３７に記載のタブレットデバイス。
【請求項３９】
第１のセンサと、
第２のセンサと、
前記第１のセンサ及び前記第２のセンサに結合されたプロセッサと、を更に備える、請求項２８に記載のタブレットデバイス。
【請求項４０】
前記フラップが、
前記フラップが前記直線配列磁石によって前記外部保護層に係止されている場合に、前記第１のセンサによって検出可能である、前記フラップ内の第１の箇所に配設された第１のセンサ磁石と、
前記フラップの対応部分が前記外部保護層と接触している場合に、前記第２のセンサによって検出可能である、前記フラップ内の第２の箇所に配設された第２のセンサ磁石と、
を更に備える、請求項３９に記載のタブレットデバイス。
【請求項４１】
前記第１のセンサによる前記第１のセンサ磁石及び前記第２のセンサ磁石の前記検出が、前記第１のエッジにある前記直線配列磁石によって前記フラップが前記外部保護層に係止されていることを示す、請求項４０に記載のタブレットデバイス。
【請求項４２】
前記第１のセンサ磁石が検出されず、前記第２のセンサ磁石が検出された場合に、前記第２のセンサ磁石に対応する前記フラップの前記部分だけが前記外部保護層と接触していることを示す、請求項４１に記載のタブレットデバイス。
【請求項４３】
前記プロセッサが、前記タブレットデバイスの動作状態を変更するために、前記第１のセンサ磁石及び／又は前記第２のセンサ磁石の前記検出を使用する、請求項４２に記載のタブレットデバイス。
【請求項４４】
前記第１のセンサ磁石及び前記第２のセンサ磁石がそれぞれ、前記外部保護層に対する前記フラップの回転変位の回転中心からの距離に応じたサイズ及び形状を備え、前記回転変位は最大ラッキング角度に対応する、請求項４３に記載のタブレットデバイス。
【請求項４５】
前記第１のセンサ磁石及び前記第２のセンサ磁石の前記サイズ及び前記形状が、前記フラップが前記直線配列磁石によって前記外部保護層に係止されていても前記第１のセンサ磁石及び前記第２のセンサ磁石がそれぞれ前記第１のセンサ及び前記第２のセンサによって依然として検出可能であるサイズ及び形状である、請求項４４に記載のタブレットデバイス。
【請求項４６】
前記回転変位が、前記最大ラッキング角度未満のラッキング角度に対応する限り、前記第１のセンサ磁石及び前記第２のセンサ磁石が依然として検出可能である、請求項４５に記載のタブレットデバイス。
【請求項４７】
前記ラッキング角度が前記最大ラッキング角度よりも大きいと、前記第１の磁気センサ磁石及び前記第２の磁気センサ磁石が前記第１のセンサ及び前記第２のセンサによって検出されない、請求項４６に記載のタブレットデバイス。
【請求項４８】
前記ラッキング角度が前記最大ラッキング角度よりも大きいと誤トリガが開始される、請求項４７に記載のタブレットデバイス。
【請求項４９】
前記磁気アタッチメントユニットに着脱可能に装着するのに適した、前記筐体によって担持された磁気アタッチメント機構を更に備え、前記磁気アタッチメント機構が、
前記筐体の内面に適合する形状を有する着磁性材料を備える本体を備える対を成す磁気素子であって、前記本体の第１の部分が第１の磁極性を備え、前記本体の第２の部分が、前記第１の磁極性とは反対の第２の磁極性を備えるようにその場で磁化される対を成す磁気素子を備える、請求項４７に記載のタブレットデバイス。
【請求項５０】
前記磁気アタッチメントユニットが、着磁性材料を備える本体をそれぞれ備える対を成す磁気素子を備え、前記対を成す磁気素子は、前記本体の第１の部分が前記第２の磁極性を備え、前記本体の第２の部分が前記第１の磁極性を備えるようにその場で磁化される、請求項４９に記載のタブレットデバイス。
【請求項５１】
前記磁気アタッチメント機構によって担持され、及び前記磁気アタッチメントユニットによって担持された前記対を成す磁気素子が、前記カバーを前記タブレットデバイスに、互いに対して所定の位置及び向きで係止するのに適した磁気回路を形成する、請求項５０に記載のタブレットデバイス。
【請求項５２】
前記本体の前記第１の部分及び前記第２の部分の対向する磁極性が、対応する前記対を成す磁気素子の全体的な磁気強度を高める内部磁気回路を備える、請求項４９に記載のタブレットデバイス。
【発明の詳細な説明】
【技術分野】
【０００１】
説明される実施形態は、全般的にはポータブル電子デバイスに関する。より具体的には、本実施形態は、ポータブル電子デバイスにとって好適な種々の着脱可能な装着技法について説明する。
【背景技術】
【０００２】
ポータブルコンピューティングにおける最近の進歩は、ハンドヘルド電子デバイス及び、カリフォルニア州クパチーノに所在のアップル社により製造されるｉＰａｄ（登録商標）タブレットの系列に沿ったコンピューティングプラットフォームの導入を含む。これらのハンドヘルドコンピューティングデバイスは、電子デバイスの相当部分が、ビジュアルコンテンツを提示するのに使用されるディスプレイアセンブリの形態をとるように構成することができる。ディスプレイアセンブリは概して、ビジュアルコンテンツを提示するように構成されたアクティブなディスプレイエリアと、通常使用時に想定されるような外的影響に対する保護を提供する目的で使用される最上位保護層と、を含む。ただし、場合によっては、タブレットデバイスに装着された保護カバーの形態をとる別個のアクセサリデバイスを使用して、タブレットデバイス及びディスプレイアセンブリの両方を更に保護することができる。ただし、ディスプレイのサイズがタブレットデバイス全体に対して比較的大きいことから、保護カバーをタブレットデバイスに装着するのに利用可能なスペースがわずかしかない。
【０００３】
その上、機械的締め具やクラスプといった従来のアタッチメント機構は、アクセサリデバイス側の対応装着特徴部と整合するために、電子デバイス側に外的にアクセス可能な装着特徴部を必要とするのが典型的である。この配置構成だと、ハンドヘルドコンピューティングデバイスの全体的なルックアンドフィールが損なわれ得ることに加え、無用に重量と複雑性が増し、ハンドヘルドコンピューティングデバイスの外観も見苦しくなり得る。
【発明の概要】
【０００４】
この文書は、アクセサリを電子デバイスに着脱可能に装着するためのシステム、方法、及び装置に関する種々の実施形態について説明する。
【０００５】
カバーについて説明する。カバーは、少なくとも、フラップであって、そのフラップの第１のエッジに沿って配列され、第１の磁場を提供するように構成された複数の磁石を有するフラップと、フラップ上の選択された箇所における磁気オフセットを第１の磁場が所定の磁気オフセット値に低減するように補償する第２の磁場を提供するように構成された複数の磁石に近接する磁界整形磁石と、を備える。
【０００６】
コンシューマシステムについて説明する。コンシューマシステムは、前面開口を有する筐体と、前面開口内に配設されたディスプレイを含むディスプレイアセンブリと、ディスプレイに隣接して配設された最上位保護層とを備えたタブレットデバイスを少なくとも含む。複数の磁気センサ及び磁気アタッチメントユニットが、筐体の内部側壁内に配設され、内部側壁に係止されている。カバーは、第１の材料で形成され、かつディスプレイに応じたサイズ及び形状を有するフラップと、フラップの第１の材料の連続層で形成された可撓性ヒンジを備える一体型ヒンジアセンブリと、タブレットデバイスとカバーとを互いに磁着させる磁気アタッチメントユニットをアクティブ化するように構成されたヒンジ磁気アタッチメントユニットと、複数の磁石であって、フラップが最上位保護層と完全に接触している場合にのみ、複数のセンサのうちの対応センサによっていくつかが検出可能であり、完全閉構成での使用時にフラップが受けるある量の枢動運動に応じたサイズ及び形状をそれぞれが有することによって、それら磁石が枢動運動の間中、対応するセンサによって検出可能のままである、複数の磁石と、を備える。
【０００７】
アクセサリデバイスを電子デバイスに着脱可能に装着するのに好適な、電子デバイスの筐体内に配設された磁気アタッチメント機構について説明する。この磁気アタッチメント機構は、筐体の内面に適合する形状を有する着磁性材料で形成された本体を有する少なくとも複数の対を成す磁気素子を備え、これら複数の対を成す磁気素子は、本体の第１の部分が第１の磁極性を備え、本体の第２の部分が、第１の磁極性とは反対の第２の磁極性となるように、その場で磁化されている。
【０００８】
本発明の他の態様及び利点は、例として、説明される実施形態の原理を示す添付図と併せて考慮される下記の「発明を実施するための形態」から明らかとなるであろう。
【図面の簡単な説明】
【０００９】
本発明は、添付図と併せて、下記の「発明を実施するための形態」により容易に理解されるであろう。図中、同一の参照符号は同一の構造要素を示す。
【００１０】
【図１】タブレットデバイスの形態の電子デバイス及び保護カバーの形態のアクセサリデバイスの第１の斜視図を示す。
【００１１】
【図２】タブレットデバイスの形態の電子デバイス及び保護カバーの形態のアクセサリデバイスの第２の斜視図を示す。
【００１２】
【図３】閉構成を示す。
【００１３】
【図４】開構成を示す。
【００１４】
【図５】カバーアセンブリの一実施形態の平面図を示す。
【００１５】
【図６】説明される実施形態に係る、磁気オフセットと距離との関係をグラフで示す図である。
【００１６】
【図７】説明される実施形態に係る磁気アセンブリを示す。
【００１７】
【図８】説明される実施形態に係る磁気回路を形成する磁気カプレット（magnetic couplet）を示す。
【００１８】
【図９】タブレットデバイスに磁着されたカバーの例示的断面図を示す。
【図１０】タブレットデバイスに磁着されたカバーの例示的断面図を示す。
【図１１】タブレットデバイスに磁着されたカバーの例示的断面図を示す。
【００１９】
【図１２】磁気アタッチメントシステムの断面を示す。
【００２０】
【図１３】タブレットデバイスを表示状態で支持するように構成されたセグメント化カバーの側面斜視図を示す。
【図１４】タブレットデバイスを表示状態で支持するように構成されたセグメント化カバーの側面斜視図を示す。
【００２１】
【図１５】ポータブルメディアデバイスによって利用される機能モジュールの配置構成のブロック図である。
【００２２】
【図１６】説明される実施形態で使用するのに好適な電子デバイスのブロック図である。
【発明を実施するための形態】
【００２３】
以下に、添付の図面に示された代表的な実施形態について詳細に参照する。以下の説明は、１つの好ましい実施形態に実施形態を限定することを意図するものではないことを理解されたい。それとは対照的に、添付の特許請求の範囲により定義されるような、説明される実施形態の趣旨及び範囲内に含まれ得る変形形態、修正形態及び均等物を網羅することが意図される。
【００２４】
下記の説明は、概して、少なくとも２つの好適に構成されたオブジェクトを合着する目的で使用できる機構に関する。一実施形態において、これは、従来の締め具を使用せずに達成することができる。これらのオブジェクトのそれぞれが、適切な性質を有する磁場を提供するように配置されたアタッチメント特徴部を備え得る。これらのアタッチメント特徴部が互いに近接すると、それらのそれぞれの性質に基づいて磁場が協働的に作用し合い、その結果、オブジェクトが所望の状態で、かつ反復可能に互いに磁着する。例えば、少なくとも部分的には磁場の相互作用の協働的性質により、オブジェクトは、外部介入なくして、所定の位置で、かつ相対的な向きで互いに合着することができる。例えば、この協働的な磁気的相互作用により、オブジェクトは、所望の向きで自己整列及び自己調心を行い得る。
【００２５】
オブジェクトは、正味吸引磁力を上回る十分な大きさの合着解除力が印加されると、又は印加されるまで、磁着した状態に保たれ得る。ただし場合によっては、オブジェクトを（ジッパーの線に沿って）順に取り外すのが望ましいことがある。その場合には、一度に一対の磁気素子の正味磁気吸引力を上回るのに十分な大きさの合着解除力が必要とされるにすぎない。これらのオブジェクトを合着するのに、機械的締め具などのコネクタは必要とされない。更に、磁気アタッチメント特徴部間での磁気相互作用に対する干渉を防ぐために、磁気アタッチメント特徴部付近にあるオブジェクトの少なくとも一部分は、プラスチックなどの磁気不活性材料や、アルミニウム又は非磁性ステンレス鋼などの非鉄金属で形成されてもよい。
【００２６】
オブジェクトは、数々の形態をとり、数々の機能を実行することができる。一実施形態においては、少なくとも１つのオブジェクトをアクセサリデバイスとして使用することができる。アクセサリデバイスは、電子デバイスのサイズ全体に比例して比較的大型のディスプレイを有する少なくとも１つの電子デバイス（タブレットデバイスが一例である）に磁着することができる。アクセサリデバイスは、電子デバイスの操作性を高める目的で使用できるサービス及び機能を提供することができる。例えば、アクセサリデバイスは、電子デバイスに磁着できる保護カバーの形態をとることができる。保護カバーは、電子デバイスの全体的なルックアンドフィールを向上させながら、電子デバイスの特定面（ディスプレイなど）に対する保護を提供することができる。保護カバーは、電子デバイスとのユーザ対話性を高める支持機能を提供することもできる。例えば、保護カバーは、電子デバイスを種々の表示モードに支持できる形状に折り曲げることができる。かかる表示モードの１つは、ディスプレイを、水平支持面に対し、ディスプレイによる映像コンテンツの提示に最適な角度に位置付けることができる。
【００２７】
保護カバーは、少なくとも可撓性ヒンジ部分を備え得る。可撓性ヒンジ部分は、複数の磁石を備え得る磁気アタッチメント機構を組み込んだ可撓性本体を備え得る。磁石によって提供される磁場は、電子デバイス内の磁石によって提供される対応磁界と相互作用して、保護カバー及び電子デバイスを、特定の向き及び相対的な位置で磁着することができる。換言すれば、磁気アタッチメント機構は、保護カバーと電子デバイスとの間での粗い位置調整と細かい位置調整との両方を提供することができる。保護カバーは、枢動軸線を中心に円滑に回転するように配置構成された可撓性ヒンジ部分に接続されているフラップを備え得る。一実施形態において、このフラップは、ディスプレイに向かう第１の方向に１８０°回転することができ、第１の方向とは反対にディスプレイから離れる第２の方向に１８０°回転することができる。電子デバイスに磁気的に結合されると、枢動軸線を中心とする第１の方向でのフラップの円滑な回転によってフラップがディスプレイと接触できるのに対し、枢動軸線を中心とする第２の方向での円滑な回転により、フラップの少なくとも一部分が電子デバイスの背面側部分と接触できる。保護カバーは、折り曲げ構成に応じてディスプレイの全部又は部分と重なり合うことができる。例えば、第１の折り曲げ構成において、保護カバーは、ディスプレイの一部分が覆われず、そのために閲覧可能となるように折り曲げることができる。フラップはセグメント化することができ、それによってフラップは、互いに対して、更には電子デバイス、特にディスプレイに対しても折り曲げ、屈曲させることのできる別個の部分に分割することができる。このように、個々のセグメントを折り曲げてディスプレイの対応部分を露出することにより、ディスプレイの特定部分だけを露出する一方で、他のセグメントは接触状態を保ち、そのためにディスプレイの対応部分を覆い隠すという更なるオプションが、セグメント化されたフラップによってもたらされる。
【００２８】
いくつかの実施形態において、フラップは、電子デバイスでの使用に好適な複数の構造体を形成する目的で使用できる種々の磁石を備え得る。例えば、フラップは、第１のエッジに沿って配置された第１の複数の磁石（即ち、第１のエッジ磁石）と、第１のエッジとは反対の第２のエッジに沿って対応箇所に位置付けられた第２の複数の磁石（第２のエッジ磁石）と、を備え得る。特定の実施形態においては、第１及び第２のエッジ磁石のうちの対応する磁石が、互いに協働して磁気回路を形成する極性を有する。このようにして、第１のエッジ及び第２のエッジが互いに空間的に近接すると、第１及び第２のエッジ磁石の磁場が互いに作用し合って、第１及び第２のエッジを互いに合着させる磁気吸引力を効率良く提供する磁気回路を形成する。このようにして、フラップは、電子デバイスに対するカバーの機能を高める目的で使用できる構造体を形成することができる。
【００２９】
例えば、フラップが、（セグメントＡ、セグメントＢ、及びセグメントＣと称される）独立して折り曲げ可能な３つのセグメントを有するように構成されている場合、セグメントＡが磁気ヒンジアセンブリに装着され、セグメントＣはセグメントＡの反対側に位置する。セグメントがセグメントＣと近接範囲内にあるときに第１のエッジ磁石及び第２のエッジ磁石が互いに吸引すると、三角形構造体ＡＢＣを形成することができる。なお、三角形構造体ＡＢＣの性質は、セグメントＡ、Ｂ、及びＣの相対サイズに応じて様々であり得るという点に留意すべきである。換言すれば、セグメントＡ、Ｂ、及びＣの幅が略等しければ、三角形構造体ＡＢＣが正三角形の形状をとり得るのに対し、２つのセグメントが略等しい幅であれば、三角形構造体ＡＢＣは、二等辺三角形の形状をとり得る。いくつかの実施形態において、この三角形構造体は、ディスプレイに提示されたキーボードを使用するのに好適なキーボードモードで約５〜１５°、又は快適な閲覧角度でディスプレイに提示されたビジュアルコンテンツを閲覧するのに好適な動画モードで約６５〜８０°の角度でディスプレイを提示する目的で使用できるという点に留意すべきである。
【００３０】
一実施形態において、フラップは、電子デバイス内の電子素子と協働できる電子回路又は他の素子（受動又は能動）を備え得る。その協働の一部として、例えば、電子デバイスの動作、保護カバーの電子回路又は素子の動作などを変更する目的で使用できる信号を、保護カバーと電子デバイスとの間で渡すことができる。一例として、電子デバイスは、ホール効果センサなど１つ以上の磁気感知回路を備えてもよく、それ故に、磁場の存在を検出することができる。ホール効果センサは、信号を生成することにより、磁場の性質（磁場の存在、磁場強度、極性など）に反応することができる。この信号は、電子デバイスの動作状態を変更する目的で使用することができる。電子デバイスは、周囲光源からの光子を検出するように構成された周囲光センサ（ＡＬＳ）などの光学センサも備え得る。
【００３１】
そのため、保護カバーは、信号を生成する目的でホール効果センサによって検出できる磁場を有する永久磁石など、単一又は複数の磁気素子を備え得る。これらの磁石は、保護カバーにおいて、対応する磁気センサに近接していると磁気センサによって検出できるフラップ内の種々の箇所に位置付けることができる。磁気センサは、複数のセンサからの信号を評価できる、電子デバイス内のプロセッサに情報を送信することができる。センサからの信号の評価により、フラップと電子デバイスとの間の空間的関係を判定する目的で使用できる情報を、保護カバーが電子デバイスに装着されていてもプロセッサに提供することができる。例えば、プロセッサは、センサからの信号を使用して、フラップの相対的な位置を電子デバイスに示し、それに応じて電子デバイスの動作状態を変更することができる。例えば、（例えば、１つ又は別の、或いは両方の磁気センサ（１つより多くのセンサが存在する場合）が対応磁界を検出した場合に）フラップが完全に閉じていることを信号が示した場合、プロセッサは、ディスプレイがビジュアルコンテンツを提示しないようにすることができる。その一方で、一方のセンサが対応磁界を検出し、他方のセンサが対応磁界を検出しなかった場合、プロセッサは、この情報を使用して、ディスプレイの一部分（センサによって検出可能でない磁石を有するフラップの一部分に対応するディスプレイの一部分）だけが閲覧可能であると判定することができる。この状況において、プロセッサはディスプレイに、ディスプレイの閲覧可能な一部分にだけビジュアルコンテンツを提示させることができる。
【００３２】
これらの実施形態及び他の実施形態は、図１〜図１６を参照して以下で論じられる。しかしながら、これらの図に関して本明細書に記載される「発明を実施するための形態」は、説明を目的とするものにすぎず、限定するものとして解釈するべきでないことが、当業者には容易に理解されるであろう。この論考の残り部分では、説明される実施形態に従って互いに磁着するようにそれぞれ適切に構成された第１及び第２のオブジェクトについて説明する。なお、適切に構成された任意の数及び種類のオブジェクトは、互いに正確に、かつ繰り返し磁着できるという点に留意すべきである。特に、簡潔性及び明瞭性のために、この論考の残り部分では、第１のオブジェクトが、電子デバイスの形態をとり、特にハンドヘルド電子デバイスの形態をとるものと想定される。次に、ハンドヘルド電子デバイスは、タブレットコンピュータ又はデバイス、ポータブルメディアプレーヤなどの形態をとってもよい。この論考の文脈において、磁石という用語は、永久磁石、着磁性材料、及び正味磁化をほとんど又は全く有しないが、それでも磁気回路の一部を形成できる磁気吸引可能な材料（スチールなど）の両方を表し得る。
【００３３】
図１は、説明される実施形態に係る電子デバイス１００の平面斜視図を示す。電子デバイス１００は、データ、特に、音声、映像、画像などのメディアデータを処理することができる。例として、電子デバイス１００は、一般に、スマートフォン、音楽プレーヤ、ゲームプレーヤ、ビジュアルプレーヤ、携帯情報端末（ＰＤＡ）、タブレットコンピュータなどとして機能できるデバイスに対応することができる。電子デバイス１００は、ハンドヘルドであってもよい。ハンドヘルドであることに関して、電子デバイス１００は、一方の手で保持しながら、他方の手によって操作することができる（すなわち、デスクトップのような基準面は必要ない）。したがって、電子デバイス１００は、一方の手で保持しながら、他方の手によって操作入力コマンドを提供することができる。操作入力コマンドは、ボリュームスイッチ、ホールドスイッチを操作すること、又はタッチ感知表示デバイス若しくはタッチパッドのようなタッチ感知面への入力を提供することによって操作することを含み得る。
【００３４】
電子デバイス１００は、筐体１０２を含むことができる。いくつかの実施形態において、筐体１０２は、鍛造、鋳造、又は他の方法で所望の形状に成形できる任意数のプラスチック又は非鉄金属のような材料で形成される単一筐体の形態をとることができる。電子デバイス１００が、金属筐体を有し、無線周波（ＲＦ）ベースの機能を内蔵するような場合には、筐体１０２の一部分は、セラミック又はプラスチックのような無線透過性材料を含み得る。筐体１０２は、複数の内部構成要素を格納するように構成することができる。例えば、筐体１０２は、電子デバイス１００にコンピューティング動作を提供するために、種々の構造構成要素及び（集積回路チップを含む）電気構成要素を格納及び支持することができる。集積回路は、チップ、チップセット又はモジュールの形態をとることができ、それらのうちのいくつかは、プリント回路板若しくはＰＣＢ、又は他の支持構造体に表面実装することができる。例えば、メインロジックボード（ＭＬＢ）は、少なくとも、マイクロプロセッサ、（フラッシュなどの）半導体メモリ、及び種々の支援回路などを含み得る集積回路をその上に実装することができる。筐体１０２は、内部構成要素を配置するための開口部１０４を備えてもよく、必要に応じて、ビジュアルコンテンツを提示するためのディスプレイアセンブリであって、保護層１０６によって覆われ、保護されたディスプレイアセンブリを収容するようにサイズ設定することができる。いくつかの場合において、ディスプレイアセンブリはタッチ感知式であり得、電子デバイス１００に制御信号を提供するために使用され得る触覚入力が可能になる。いくつかの場合において、ディスプレイアセンブリは、電子デバイスの前面の大部分の実装面積をカバーする大きな目立つディスプレイエリアであり得る。
【００３５】
電子デバイス１００は、電子デバイス１００を少なくとも１つの他の好適に構成されたオブジェクトに磁着する目的で使用できる磁気アタッチメントシステムを備え得る。磁気アタッチメントシステムは、筐体１０２内に分散され、場合によっては筐体１０２に接続された複数の磁気アタッチメント特徴部を備え得る。例えば、磁気アタッチメントシステムは、磁石１０８を備え得る。特に磁石１０８は、筐体１０２の側壁１０２ａに近接する箇所にあってもよい。いくつかの実施形態において、電子デバイス１００は、センサ１１０を備え得る。センサ１１０は、特定の外部刺激を検出できるか、又は他の方法で特定の外部刺激に反応できる数々の形態をとることができる。例えば、センサ１１０は、外部磁界を感知できる（ホール効果センサ、即ちＨＦＸ）と共に、地球の磁場を検出する目的で使用でき、したがってコンパスとして機能することができる磁力計であってもよい。センサ１１０は、周囲などの外部光源、並びに音声エネルギー、熱エネルギーなどを感知でき、電子デバイス１００によって任意の組み合わせで使用できる。一般に、センサ１１０は、電子デバイス１００内に配設されたプロセッサ又は他の回路と通信し、電子デバイス１００の動作がセンサ１１０と関連付けられた情報による影響を受け得る。このセンサ情報は、肯定的な性質（即ち、外部刺激の検出）又は受動的な性質（即ち、特定の性質の外部刺激が検出されない）であり得、いずれでも、単一で、又は組み合わせて、例えば電子デバイス１００の動作を変更する際に使用できる有用な情報を電子デバイス１００に提供することができる。
【００３６】
この論考の残り部分では、磁気アタッチメントシステムを使用できるデバイスの特定の実施形態について説明する。特に図２は、電子デバイス１００（以後タブレットデバイス１００と称する）及びアクセサリデバイス２００（以後カバー２００と称する）を個々に示す斜視図を示しており、図３では、これらがコンシューマ製品システム３００として互いに磁着されている。図２は、側面１０２ａの外面で磁石１０８によって提供された磁性面１１２を示す。未合着状態だと、磁性面１１２は、筐体１０２ａの外面で、その付近にある感知性磁気構成要素に悪影響を及ぼすほどの強度を呈しない。そのため、未合着状態（即ち非アクティブモード）では、磁性面１１２と関連付けられた磁場は、それを上回ると磁気感知性デバイス（クレジットカードの磁気ストリップなど）が影響を受け得る磁気閾値Ｂｔｈｒｅｓｈｏｌｄを超えない。カバー２００は、タブレットデバイス１００に応じたサイズ及び形状を有するフラップ２０２を備え得る。（図３に示す）磁気ヒンジアセンブリ２０４は、磁性面１１２と協働してカバー２００をタブレットデバイス１００に磁着する目的で使用することができる。
【００３７】
図３は、説明される実施形態に係るコンシューマ製品システム３００を示しており、図中、カバー２００はヒンジアセンブリ２０４でタブレットデバイス１００に磁着されている。磁気ヒンジアセンブリ２０４は、磁性面１１２と相互作用して、カバー２００と電子デバイス１００とを合着させるのに十分な強度の磁気吸引力を形成する磁場を形成する磁気素子（非図示）を備え得る。図３は、電子デバイス１００に対して完全閉構成のカバー２００を示す。この配置構成においては、保護層１０６の実質上全てがカバー２００と重なり合っている。その一方で、図４は、保護層１０６が完全に閲覧可能である開構成のカバーアセンブリ３００を示す。
【００３８】
いくつかの実施形態において、フラップ２０２は、一体の外観であり得る。つまり、フラップ２０２が可撓性材料で形成されている場合には、わずかに屈曲できる単一のユニットに見え得る。ただし、他の場合においては、フラップ２０２が、セグメントを互いに独立して、並びにタブレットデバイス１００に対して折り曲げられるようにする関連折り曲げ領域によって近隣セグメントに結合された複数のセグメントを備え得る。そのため、図５は、カバー２００の特定実施形態の平面図を示しており、図中、本体２０２は、保護層１０６に応じたサイズ及び形状を有する。本体２０２は、単一の折り曲げ可能な、又は柔軟性のある材料で形成することができる。また、本体２０２は、折り曲げ領域によってそれぞれから分離したセグメントに分けることができる。このようにすると、折り曲げ領域において、セグメントを互いに対して折り曲げることができる。
【００３９】
一実施形態において、本体２０２は、互いに合着して積層構造体を形成する材料の層で形成することができる。それぞれの層は、本体２０２と適合するサイズ及び形状を有し得る単一片の材料の形態をとることができる。また、それぞれの層は、本体２０２の一部分のみに対応するサイズ及び形状を有することができる。例えば、セグメントと略同じサイズ及び形状の剛性又は半剛性材料の層を、セグメントに取り付けるか、又は他の方法でセグメントと関連付けることができる。別の実施例においては、本体２０２に応じたサイズ及び形状を有する剛性又は半剛性材料の層を、弾力性基盤を備えたカバー２００を全体として提供する目的で使用することができる。なお、これらの層は、所望の性質を有する材料でそれぞれ形成され得るという点に留意すべきである。例えば、ガラスなどの繊細な面と接触するカバー２００の内面は、その繊細な面を損ねるか、又は他の方法で毀損する柔らかい材料で形成され得る。別の実施形態においては、繊細な面を受動的に清潔にするマイクロファイバなどの材料が使用され得る。その一方で、外部環境に露出されている層は、プラスチック又は革など、より丈夫で耐久性の高い材料で形成され得る。
【００４０】
特定の実施形態においては、本体２０２を、多様であり得る複数のセグメントに分割することができる。図５に示す実施形態においては、本体２０２を、セグメントＡ、Ｂ、及びＣという３つのセグメントに分割することができ、それぞれのセグメントは、より薄くて折り曲げ可能な部分２０６によって、隣接するセグメントに結合されている。セグメントＡ、Ｂ、Ｃのそれぞれは、セグメント内に配設された１つ以上のインサートを備え得る。例として、これらのセグメントは、インサートが配置されているか、或いはインサートがセグメント内に埋設（例えば、インサート成形）され得るポケット領域を含み得る。ポケットが使用される場合、ポケット領域は、対応するインサートを収容するサイズ及び形状を有し得る。これらのインサートは、種々の形状を有し得るが、最も典型的なのは、本体２０２の全体的外観に適合する形状（例えば、矩形）である。これらのインサートは、本体２０２に構造的な支持を提供する目的で使用することができる。すなわち、インサートは、カバーアセンブリを補強することができる。いくつかの場合において、インサートは、補強材と呼ばれることがある。このように、カバー２００は、より薄く、インサートを含まない折り曲げ可能領域沿いを除けば比較的硬いことから、セグメント化カバー２００の剛性を高め、扱いやすく（例えば、折り曲げを可能に）する。一実施形態において、セグメントＡ、Ｂ、Ｃは、互いに対して、セグメントＡ、Ｂ、Ｃが協働して三角形支持構造体を形成できるようなサイズ関係を有し得る。三角形支持構造体は、タブレットデバイス１００のユーザエクスペリエンスを高める目的で使用することができる。
【００４１】
例えば、（下記のように磁石を使用するか、単に摩擦結合のみを使用して）セグメントＡとセグメントＣとを結合することにより、三角形構造体を形成することができる。なお、三角形構造体の性質は、セグメントＡ、Ｂ、及びＣの相対サイズに応じて様々であり得るという点に留意すべきである。換言すれば、セグメントＡ、Ｂ、及びＣが略同じ幅だと、三角形構造体が正三角形の形態をとり得るのに対し、２つのセグメントが略等しい幅だと、三角形構造体は二等辺三角形の形状をとり得る。このようにして、三角形構造体を特定の目的に適う形状にすることができる。例えば、ある構成においては、三角形構造体を、タブレットデバイス１００を動画モード又はキーボードモードで支持する目的で使用することができる。
【００４２】
一実施形態において、本体２０２は、複数の磁石を含むことができ、そのうちのいくつかは、三角形構造体を形成する目的で使用することができる。例えば、セグメントＣが、本体２０２の第１のエッジ２１０に沿って配列された第１のエッジ取り付け磁石２０８を含むことができるのに対し、セグメントＡは、第１のエッジ２１０の反対側にあり、かつ磁気ヒンジアセンブリ２０４に隣接する第２のエッジ２１４において第２のエッジ取り付け磁石２１２を含むことができる。この実施形態において、第１のエッジ取り付け磁石２０８及び第２のエッジ取り付け磁石２１２は、それぞれの第１のエッジ取り付け磁石２０８を第２のエッジ取り付け磁石２１２のうちの対応する１つと関連付けることのできる１対１対応を有する。その上、第１のエッジ取り付け磁石２０８と第２のエッジ取り付け磁石２１２との間で最大磁気吸引力を生み出すために、それぞれの磁石対は反対の磁極を呈することができる。例えば、第１のエッジ取り付け磁石２０８が第１の極性パターンＭ１｛Ｐ１，Ｐ２，Ｐ１，Ｐ２｝で配置されている場合、第２のエッジ取り付け磁石２１２は、相補的な極性パターンＭ２｛Ｐ２，Ｐ１，Ｐ２，Ｐ１｝で配置することができる。このようにして、磁気アレイの終端における磁気フリンジ効果を最小化しつつ、２つの磁気アレイ間で最大磁気アタッチメント力を実現することができる。一実施形態においては、第１のエッジ取り付け磁石２０８及び第２のエッジ取り付け磁石２１２がネオジム（Ｎ４５ＳＨ）で形成されてもよい。なお、エッジ取り付け磁石の数は、２個から１６個超まで様々であり得る。
【００４３】
フラップ２０２は、第１のエッジ取り付け磁石２０８の隣り、かつ第１のエッジ２１０沿いにフラップアタッチメント磁石２１４も備える。説明される実施形態において、フラップアタッチメント磁石２１４は、タブレットデバイス１００内に配設された対応する磁気素子を有する磁気アタッチメントを形成する目的で使用することができる。一実施形態において、フラップアタッチメント磁石２１４は、フラップ２０２がタブレットデバイス１００に対して完全閉構成にあるとき、フラップ２０２を保護層１０６に磁着する目的で使用することができる。フラップアタッチメント磁石２１４は、磁気ヒンジアセンブリ２０４において形成された枢動軸線を中心にフラップ２０２を回転させることによってフラップ２０２を筐体１０２の背面側に磁着させる目的で使用することができる。枢動軸線を中心とする回転により、フラップ２０２の内面が、筐体１０２の背面側の選択部分と接触することができる。フラップアタッチメント磁石２１４は、筐体１０２内に配設された磁気素子と磁気的に相互作用して、フラップ２０２（又はフラップ２０２の部分）を筐体１０２の背面側に磁着させることができる。
【００４４】
いくつかの実施形態において、センサ１１０は、周囲磁場（地球がもたらす磁場など）の方向を検出するための磁気コンパスとして使用できる磁力計１１４（フラップ２０２に対する相対的な位置が図５において点線円で示されている）の形態をとり得る。フラップ２０２が閉構成になっているときに外部磁界の現在の方向を正確に検出するために、フラップ２０２内に配設された磁石、特に磁石２０８及び２１４によって生成された漂遊磁場からコンパス１１４を少なくとも部分的に遮蔽することができる。そのため、磁界整形磁石２１６を、コンパス１１４並びに磁石２０８及び２１４に対して相対的な位置に配置することができ、コンパス１１４が受ける磁気オフセットを許容範囲内の磁気オフセット値に低減する。特に図６は、磁気オフセット間の関係を磁石２０８及び２１４からの距離の関数としてグラフで示している。なお、磁界整形磁石２１６は、コンパス１１４における磁気オフセットを許容範囲内のオフセット値に低減する磁極性（単数又は複数）を有し得るという点に留意すべきである。例えば、磁界整形磁石２１６は、磁石２１４、磁石２０８、又はこれらの実効的な組み合わせの極性とは反対の極性を有し得る。このようにして、コンパス１１４における磁気オフセットは、磁石２０８及び２１４の磁気的影響が補正されない場合に受ける磁気オフセットよりも大幅に低減される。一実施形態において、磁界整形磁石２１６は、コンパス１１４における磁石２０８及び２１４からの磁気オフセットを、基準箇所において１０°オーダー以下の値に維持することができる。
【００４５】
図５に戻ると、フラップ２０２は、三角形支持構造体を形成する目的で使用することができる。一実施形態において、三角形支持構造体は、摩擦を使用してセグメントＡとセグメントＣとを結合するだけで形成することができる。摩擦結合により、直接接触したときにセグメントＡとＣとの間で生まれる表面摩擦が、タブレットデバイス１００を動画モード又はキーボードモードで支持する目的で使用される場合であっても三角形構造体を維持するのに十分であり得るということになる。代替として、三角形構造体は、第１のエッジ取り付け磁石２０８を第２のエッジ取り付け磁石２１２に近接させ、それによって磁気回路を形成することによって形成することもできる。なお、いくつかの実施形態において、第１のエッジ取り付け磁石２０８及び第２のエッジ取り付け磁石２１２は、互いに重ね合わせる必要がなく、磁気回路を作るのに適した距離だけ互いに隔てて近接させるだけでよい。
【００４６】
上述のとおり、フラップ取り付け磁石２１４は、タブレットデバイス１００に配設された対応する磁気素子と協働して、フラップ２０２を保護カバー１０６に取り外し可能に取り付ける。ただし、フラップ２０２を形成する目的で使用される材料の可撓性の性質と、磁気ヒンジアセンブリ２０４とタブレットデバイス１００との間の磁気アタッチメントの分散された性質と、を一部理由に、フラップ２０２がタブレットデバイス１００に磁着されている場合に、通常使用中に一定量の「ラッキング」が生じ得る。ラッキングとは、（磁気ヒンジアセンブリ２０４とタブレットデバイス１００との間に形成された磁気アタッチメントの中心である）アタッチメントの中心Ｘを中心とするフラップ２０２の枢動型運動のことである。そのため、フラップ２０２は、アタッチメント中心Ｘを中心にラッキング角度φで枢動可能であると想定することができる。ただし、フラップ２０２が閉構成になっているときにセンサ１１０がセンサ磁石２１８及び２２０を検出するように構成されている状況においては、アタッチメントの中心Ｘを中心とするフラップ２０２の枢動運動により、等式（１）に従ってセンサ磁石２１８及び２２０の変位Ｄが生じ得る。
等式（１）
Ｄ２１８＝ｒ１ｘφ
Ｄ２２０＝ｒ２ｘφ
式中、
Ｄ２１８、Ｄ２２０は、それぞれ、フラップ２０２のラッキング角度φのラッキングによる磁石２１８、２２０の移動であり、
ｒ１、ｒ２はそれぞれ、アタッチメントの中心Ｘとセンサ磁石２１８及び２２０との間の距離である。
【００４７】
そのため、（磁石２１８及び２２０のどちらか又は両方が対応磁気センサ１１０から離れ、検出不能である）誤トリガを防ぐために、磁石２１８及び２２０は、想定される最大ラッキング角度であっても、磁石２１８及び２２０によって生成された磁場を磁気センサ１１０が検出することを想定できるように、サイズ設定することができる。一実施形態において、センサ磁石２１８は、Ｌ１の側面を有する正方形磁石の形態をとることができるのに対し、センサ磁石２２０は、Ｌ２の側面を有する正方形磁石の形態をとることもできる。なお、ｒ１はｒ２よりも大きいため、Ｌ１＞Ｌ２である。磁気センサ１１０によって検出可能な状態を保つために、Ｌ１は概してＤ２１８よりも大きく、Ｌ２はＤ２２０よりも大きい。
【００４８】
フラップ２０２は、磁石２２２を備え得る磁気ヒンジアセンブリ２０４を使用して、タブレットデバイス１００に磁着することができる。磁気ヒンジアセンブリ２０４は、磁気ヒンジアセンブリ２０４をカバー２００の一部として一体的に形成できるという意味で一体化することができる。いくつかの実施形態において、磁気ヒンジアセンブリ２０４は、フラップ２０２の最上部を形成する目的で使用されるものと同じ材料（織地、革など）で形成することができる。このようにして、フラップ２０２を見たときの視覚効果が連続的なものとなり得る。連続感を更に高めるのが、可撓性ヒンジ２０４の包囲（wrap around）性である。包囲とは、本体２０２（特に織地で形成された最上部など）を形成する材料がエッジ２１４（テールと称されこともある）を越えて磁石２２２の周囲を覆い、フラップ２０２と磁気ヒンジアセンブリ２０４との間で連続的な外観を実現することである。
【００４９】
磁気ヒンジアセンブリ２０４は、図７に示す磁石対７００のように配列された磁石２２２を備えてもよく、タブレットデバイス１００において磁気アタッチメント特徴部１０８内に配設された磁気素子に磁着するように構成されてもよい。一実施形態において、磁石対７００は、一実施形態において極性によって対にした磁石を含む磁気アレイ７０２として配列して、次に示す磁気アレイとして表される磁石対７００にしてもよい。
｛［Ｐ２，Ｐ１］，［Ｐ１，Ｐ２］，［Ｐ２，Ｐ１］，［Ｐ１，Ｐ２］，［Ｐ２，Ｐ１］［Ｐ１，Ｐ２］［Ｐ２，Ｐ１］｝
（配列中、かぎ括弧［］は磁石対を示す）。
【００５０】
これに応じて、タブレットデバイス８００に配設された磁気アタッチメント特徴部１０８は、磁気アレイ７０２を相補するように配列された磁石対７０６を有する対応磁気アレイ７０４を備え得る。一実施形態において、磁気アレイ７０２及び７０４は、互いに近接範囲内に近づくと、図８に示す一連の磁気回路８００によって磁気吸引力を形成する。低減された量の磁気材料で磁気吸引力を高めるために、磁気回路を使用してもよく、ネオジムなどの希土類の場合に非常に有利であり得る。そのため、磁石対の数と磁石対間の距離（即ちピッチ）を変えることにより、磁気材料と全磁気アタッチメント力との最適比を達成することができる。なお、一実施形態において、磁石２２２は、カバー２００のアセンブリが完成するか、又は少なくとも必要な熱処理が完了した後で磁化できるという点に留意すべきである。このようにして、全ての熱処理（又は少なくとも、減磁を引き起こす可能性が最も高い熱処理）が終わるまで磁石２２２を磁化するのを待つことにより、磁石２２２の磁力を最大化することができるため、所定の磁気アタッチメント力を提供するのに使用される磁気材料の量を、アセンブリの熱処理中に磁石２２２で少なくとも一部の減磁が生じる場合に必要となる量よりも減らすことができる。
【００５１】
図９〜図１１は、タブレットデバイス１００に磁着されたカバー２００の代表的断面図を示す。特に図９は、フラップ２０２の内面が保護層１０６と完全に接触している完全閉構成９００のカバー２００を示す。ホール効果センサ１１０−１は、センサ磁石２１８によって提供された磁場を検出することができる。同時にホール効果センサ１１０−２も、センサ磁石２２０によって提供された磁場を検出することができる。このようにして、プロセッサは、ホール効果センサ１１０によって提供された検出情報を使用して、カバー２００とタブレットデバイス１００との間の空間的関係を判定することができる。具体的には、フラップ２０２が折り曲げ可能であり、かつ／又は（Ａ、Ｂ、Ｃなどの）セグメントを含む場合、タブレットデバイス１００内のプロセッサは、センサ１１０によって提供された検出情報を使用して、カバー２００の折り曲げ構成を判定することができる。例えば、ホール効果センサ１１０からの検出情報を使用して、プロセッサは、カバー２００が完全閉構成９００になっているために、タブレットデバイス１００内に配設されたディスプレイによって提示されたビジュアルコンテンツが一切閲覧できず、そのためにタブレットデバイス１００の動作状態を変更可能であると判定することができる。
【００５２】
なお、タブレットデバイス１００は、フラップアタッチメント磁石２１４を備えた磁気アタッチメントを形成する目的で使用できる磁石１１８を備え得るという点にも留意すべきである。一実施形態において、磁石１１８は、フラップアタッチメント磁石２１４と磁気的に相互作用するのに十分な磁束密度を有する磁束線が保護層１０６を「貫通」するように位置付けられた棒磁石の形態をとってもよい。一実施形態においては、フラップ２００の内面を保護カバー１０６と密に接触させておくために、閉構成において、磁石１１８をフラップアタッチメント磁石２１４から距離を離して配置してもよい。そのため、磁石１１８及び２１４を意図的に「位置をずらす」ことにより、挿入図９０４に示すとおり、フラップ２０２を保護カバー１０６に押し付けるようにしてフラップ２０２を引き寄せる正味力Ｆをフラップ２０２に印加することができる。なお、Ｆは、磁石１１８と２１４との間で生じる磁気吸引力Ｍの力ベクトルである。
【００５３】
図１０は、部分的開構成１０００を示しており、同図においては、保護層１０６の一部分１０６−１が露出されて、ディスプレイによって提示されたビジュアルコンテンツを一部分１０６−１でのみ閲覧できるようにセグメントＣが折り曲げられて保護層１０６から離れる。ホール効果センサ１１０−１が、センサ磁石２１８によって提供された磁場を検出できないのに対し、センサ１１０−２は依然として磁石２２０を検出することができる。このようにして、プロセッサは、センサ１１０−２からの検出情報（検出あり）をセンサ１１０−１からの情報（検出なし）と組み合わせて、セグメントＣだけが折り曲げられて保護層１０６から離れ、一部分１０６−１を露出したと推定することができる。このようにして、一部分１０６−１に対応する、ディスプレイのその一部分だけが閲覧可能となる。一実施形態において、プロセッサは、閲覧可能とされたディスプレイの量に応じてディスプレイにビジュアルコンテンツを提示させることができる。
【００５４】
図１１は、逆折り曲げ構成と称され得る構成で、内面２２４がタブレットデバイス１００の背面と接触するようにカバー２００が折り曲げられている実施形態を示しており、この構成は、タブレットデバイス１００がカメラ又は他の係る撮像デバイスを備える状況において有用であり得る。このようにして、ユーザは、逆折り曲げ構成を使用してタブレットデバイス１００を保持することができ、ディスプレイアセンブリを、画像又は映像を構成する目的で使用可能なビューファインダとして使用することが可能となる。なお、ホール効果センサ１１８−１及びホール効果センサ１１８−２などの磁気検出回路が、逆折り曲げ構成において、磁気検出回路のうちの少なくとも１つがカバー２００内の対応する磁石を検出できるように構成されてもよいという点に留意すべきである。例えば、逆折り曲げ構成において、ホール効果センサ１１８−１が、磁石１１０−１を検出することができる。
【００５５】
図１２は、本明細書で説明される一実施形態に係る磁気アセンブリ１２００及び筐体１０２の側面図である。磁気アセンブリ１２００は、磁力線をタブレットデバイス１００の内側からそらし、筐体１０２の方に向ける目的で使用できる磁石１２０２、磁気シールド１２０４、及びリアシールド１２０６を備え得る。非アクティブ状態においては、筐体１０２の外面に沿った地点Ｐで測定された磁束密度が、上述のＢｔｈｒｅｓｈｏｌｄ未満であり得る。具体的には、磁石１２０２の隅部における高磁束密度領域が、丸みを付けることによって縮小され得る。このようにして、隅部の磁束密度が実質的に低減され、それにより、筐体１０２の外面でより均一に磁束が分散される。特に、磁石１２０２の少なくとも一部分を、筐体１０２の一部分に密に一致又は適合する形状にしてもよい。磁石１０２の形状を筐体１０２に一致させることにより、磁石１２０２の位置付けを筐体１０２の内側エッジに比較的近づけることができ、それにより、アクティブ状態にある筐体１０２の外面における磁束密度を高めることができる。このようにして、外部磁気素子を用いて最適の磁気吸引を生み出すことができる。
【００５６】
図１３は、三角形構造体１３００を使用してタブレットデバイス１００をキーボード構成で支持するように構成されたカバー２００の側面図を示す。カバー２００は、セグメントＡ及びＣを互いに近接させることにより、折り曲げて三角形構造体１３００にすることができる（なお、セグメント間の摩擦結合も三角形構造体１３００を形成するのに十分であり得るという点に留意すべきである）。三角形構造体１３００は、保護層１０６の下に配設されたタッチ感知面が、支持面に対して人間工学的に有利な角度に位置付けられるようにタブレットデバイス１００を支持する目的で使用することができる。このことは、タッチ感知面が長時間にわたって使用される状況において特に適切である。例えば、タッチ感知面に仮想キーボードを提示することができる。説明される実施形態においては、タブレットデバイス１００を、水平支持面に対して５°から１５°の範囲の角度にすることができる。
【００５７】
図１４は、カバー２００の折り曲げ構成を示しており、この構成では、三角形支持構造体１４００を、タブレットデバイス１００を閲覧モードで支持する目的で使用することができる。閲覧モードでは、ディスプレイアセンブリがビジュアルコンテンツ（映像、静止画像、アニメーションなど）を提示できるように三角形構造体１４００がタブレットデバイス１００を支持することができる。例えば、三角形支持構造体１４００は、タブレットデバイス１００が、水平支持面に対して約６５°から約８５°の提示角度（容易な閲覧に最適な「キックスタンド」状態と称される）でビジュアルコンテンツを提示できるようにタブレットデバイス１００を支持することができる。
【００５８】
図１５は、電子デバイスによって利用される機能モジュールの配置構成１７００のブロック図である。電子デバイスは、例えば、タブレットデバイス９００であり得る。配置構成１７００は、ポータブルメディアデバイスのユーザのためにメディアを出力できるだけでなく、データ記憶装置１７０４に対してデータを記憶及び取得することもできる電子デバイス１７０２を含む。配置構成１７００は、グラフィカルユーザインタフェース（ＧＵＩ）マネージャ１７０６も含む。ＧＵＩマネージャ１７０６は、ディスプレイデバイスに提供及び表示される情報を制御するように稼働する。配置構成１７００は、ポータブルメディアデバイスとアクセサリデバイスとの間での通信を容易にする通信モジュール１７０８も含む。更に、配置構成１７００は、ポータブルメディアデバイスに結合できるアクセサリデバイスからデータを認証及び取得するように稼働するアクセサリマネージャ１７１０を含む。
【００５９】
図１６は、説明される実施形態で使用するのに好適な電子デバイス１７５０のブロック図である。電子デバイス１７５０は、代表的なコンピューティングデバイスの回路を例示する。電子デバイス１７５０は、電子デバイス１７５０の動作全般を制御するためのマイクロプロセッサ又はコントローラに関連するプロセッサ１７５２を備える。電子デバイス１７５０は、メディアアイテムに関連するメディアデータをファイルシステム１７５４及びキャッシュ１７５６に記憶する。ファイルシステム１７５４は、１つの記憶ディスク又は複数のディスクであるのが典型的である。ファイルシステム１７５４は、電子デバイス１７５０に大容量の記憶能力を提供するのが典型的である。ただし、ファイルシステム１７５４へのアクセス時間は比較的遅いため、電子デバイス１７５０はキャッシュ１７５６も備えてもよい。キャッシュ１７５６は、例えば半導体メモリによって提供されるランダムアクセスメモリ（ＲＡＭ）である。キャッシュ１７５６への相対的なアクセス時間は、ファイルシステム１７５４に対してよりも実質的に短い。しかしながら、キャッシュ１７５６は、ファイルシステム１７５４の大記憶容量を有さない。更には、ファイルシステム１７５４は、アクティブである場合、キャッシュ１７５６よりも消費電力が大きい。消費電力は、電子デバイス１７５０がバッテリ１７７４によって電力供給されるポータブルメディアデバイスである場合に懸案事項となることが多い。電子デバイス１７５０は、ＲＡＭ  １７７０及び読み取り専用メモリ（ＲＯＭ）１７７２も備え得る。ＲＯＭ  １７７２は、実行されるべきプログラム、ユーティリティ、又はプロセスを不揮発性方式で記憶することができる。ＲＡＭ  １７７０は、キャッシュ１７５６に関するものなどの揮発性データ記憶を提供する。
【００６０】
電子デバイス１７５０は、電子デバイス１７５０のユーザが電子デバイス１７５０と対話することを可能にするユーザ入力デバイス１７５８も含む。例えば、ユーザ入力デバイス１７５８は、ボタン、キーパッド、ダイヤル、タッチスクリーン、オーディオ入力インタフェース、ビジュアル／画像キャプチャ入力インタフェース、センサデータなどの形態をとる入力など、様々な形態をとり得る。更に、電子デバイス１７５０は、プロセッサ１７５２によって制御されることにより、ユーザに情報を表示することのできるディスプレイ１７６０（スクリーンディスプレイ）を備える。データバス１７６６は、少なくともファイルシステム１７５４、キャッシュ１７５６、プロセッサ１７５２、及びＣＯＤＥＣ  １７６３間でのデータ転送を容易にすることができる。
【００６１】
一実施形態において、電子デバイス１７５０は、ファイルシステム１７５４内に複数のメディアアイテム（例えば、歌曲、ポッドキャストなど）を記憶する役割を果たす。ユーザがこの電子デバイスに特定のメディアアイテムを再生させたい場合には、利用可能なメディアアイテムのリストがディスプレイ１７６０上に表示される。その後、ユーザはユーザ入力デバイス１７５８を使用して、利用可能なメディアアイテムのうちの１つを選択することができる。プロッセサ１７５２は、特定のメディアアイテムの選択を受け取ると、その特定のメディアアイテムに関するメディアデータ（例えば、オーディオファイル）を、コーダ／デコーダ（ＣＯＤＥＣ）１７６３に供給する。次いで、ＣＯＤＥＣ  １７６３は、スピーカ１７６４のためのアナログ出力信号を生成する。スピーカ１７６４は、電子デバイス１７５０の内部、又は電子デバイス１７５０の外部のスピーカとすることができる。例えば、電子デバイス１７５０に接続するヘッドホン又はイヤホンは、外部スピーカとみなされる。
【００６２】
電子デバイス１７５０は、データリンク１７６２に結合するネットワーク／バスインタフェース１７６１も備える。データリンク１７６２により、電子デバイス１７５０は、ホストコンピュータ又はアクセサリデバイスに結合することが可能となる。データリンク１７６２は、有線接続又は無線接続を介して提供することができる。無線接続の場合、ネットワーク／バスインタフェース１７６１は、無線送受信機を備え得る。メディアアイテム（メディアアセット）は、１つ以上の異なるタイプのメディアコンテンツに関連し得る。一実施形態において、メディアアイテムは、オーディオトラック（例えば、歌曲、オーディオブック、及びポッドキャスト）である。別の実施形態において、メディアアイテムは、画像（例えば、写真）である。しかしながら、他の実施形態において、メディアアイテムは、オーディオコンテンツ、グラフィカルコンテンツ、又はビジュアルコンテンツのいずれかの組み合わせとすることができる。センサ１７７６は、任意の数の刺激を検出するための回路機構の形態をとり得る。例えば、センサ１７７６は、外部磁界に反応するホール効果センサ、オーディオセンサ、光度計などの光センサなどを含み得る。
【００６３】
説明される実施形態の種々の態様、実施形態、実装、又は特徴は、個別に、又は任意の組み合わせで使用できる。記載された実施形態の様々な態様は、ソフトウェア、ハードウェア、又はハードウェアとソフトウェアとの組み合わせによって実施できる。更に、説明した実施形態は、非一時的コンピュータ可読媒体上のコンピュータ可読コードとして実施できる。コンピュータ可読媒体は、コンピュータシステムによって後で読み取り可能なデータを記憶できる任意のデータ記憶デバイスと定義される。コンピュータ可読媒体の例としては、読み取り専用メモリ、ランダムアクセスメモリ、ＣＤ−ＲＯＭ、ＤＶＤ、磁気テープ、及び光学的データ記憶装置が挙げられる。コンピュータ可読媒体はまた、ネットワーク接続されたコンピュータシステム上に分散させることもでき、コンピュータ可読コードが分散方式で記憶及び実行される。
【００６４】
上述の説明は、説明の目的上、具体的な専門用語を使用することにより、説明される実施形態の完全な理解を提供するものであった。しかしながら、具体的詳細は、説明される実施形態を実践するために必ずしも要求されないことが、当業者には明らかであろう。それゆえ、本明細書で説明される具体的な実施形態の上述の説明は、例示及び説明の目的のために提示されるものである。それらの説明は、網羅的であることも、又は開示される厳密な形態に実施形態を限定することも、目的とするものではない。上記の教示を鑑みて、多くの修正形態及び変形形態が可能であることが、当業者には明らかとなるであろう。
【００６５】
説明される実施形態の有利点は数多い。種々の態様、実施形態、又は実装により、以下の有利点のうちの１つ以上をもたらすことができる。本実施形態の多くの特徴及び有利点は、記載される説明から明らかであり、それゆえ、添付の特許請求の範囲によって、本発明のそのような特徴及び有利点を包含することが意図される。更には、数多くの修正形態及び変形形態が、当業者には容易に想到されるため、これらの実施形態は、例示及び説明される厳密な構成並びに動作に限定されるべきではない。それゆえ、全ての好適な修正形態及び均等物は、本発明の範囲内に含まれるものとして採用することができる。
【図１】
2016534449.tif 000003
【図２】
2016534449.tif 000004
【図３】
2016534449.tif 000005
【図４】
2016534449.tif 000006
【図５】
2016534449.tif 000007
【図６】
2016534449.tif 000008
【図７】
2016534449.tif 000009
【図８】
2016534449.tif 000010
【図９】
2016534449.tif 000011
【図１０】
2016534449.tif 000012
【図１１】
2016534449.tif 000013
【図１２】
2016534449.tif 000014
【図１３】
2016534449.tif 000015
【図１４】
2016534449.tif 000016
【図１５】
2016534449.tif 000017
【図１６】
2016534449.tif 000018
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
タブレットデバイスに装着し、該タブレットデバイスを保護するのに適したカバーであって、
前記タブレットデバイスは前面開口を有する筐体と、前記筐体によって担持されるディスプレイであって、少なくとも前記ディスプレイに被され、かつ前記前面開口を満たすサイズ及び形状を有する外部保護層を備えたディスプレイとを有し、
前記カバーは、
折り曲げて折り曲げ構成にすることのできる、前記ディスプレイの前記サイズ及び前記形状を有するフラップを備え、前記フラップは、
前記フラップの第１のエッジに沿って、かつ平行に位置付けられた直線配列磁石であって、前記直線配列磁石の少なくともいくつかが、前記フラップを前記外部保護層に係止するように構成された第１の磁場を提供するように構成されている直線配列磁石と、
前記直線配列磁石から離れ、かつ、オフセットされて配置された磁界整形磁石であって、前記磁界整形磁石は、前記直線配列磁石が前記フラップを前記外部保護層に係止した場合に前記筐体によって担持された磁気感知構成要素の位置に対応する前記フラップ上の位置で合成磁界を提供するために、前記第１の磁場と相互作用する第２の磁場を提供するように構成され、前記合成磁界は前記磁気感知構成要素において既定かつ予測可能な磁気オフセットをもたらす、磁界整形磁石と、を備える、
カバー。
【請求項２】
前記第１のエッジの反対側にある前記フラップの第２のエッジに沿って、かつ平行に配列された直線配列磁石を更に備え、前記フラップの前記第２のエッジに沿った前記直線配列磁石は、前記第１のエッジにある前記直線配列磁石のサブセットに対して平行である、請求項１に記載のカバー。
【請求項３】
前記フラップが、前記第１のエッジだけが前記第２のエッジに近接する前記カバーと接触するような形状に折り曲げられると、前記第２のエッジにある前記直線配列磁石のそれぞれが、前記第１のエッジにある磁石の前記サブセットのうちの対応する磁石と磁気回路を形成する、請求項２に記載のカバー。
【請求項４】
前記第１のエッジ又は前記第２のエッジにある前記磁石のいずれも、前記磁気回路を形成するために、それぞれが重ね合わされることはない、請求項３に記載のカバー。
【請求項５】
前記形状が、前記タブレットデバイスを稼働構成で支持するのに適した支持構造体を形成する、請求項４に記載のカバー。
【請求項６】
前記タブレットデバイスを前記稼働構成で支持する間、前記磁気回路が、前記支持構造体を維持するのに十分な磁気吸引力を提供する、請求項５に記載のカバー。
【請求項７】
前記第２のエッジにあって前記第２のエッジを越えて前記フラップと連続する可撓性ヒンジ部分を備える磁気ヒンジアセンブリと、
前記タブレットデバイスと着脱可能な磁気アタッチメントを形成するように構成された磁気アタッチメントユニットと、
を更に備える、請求項２から６のいずれか一項に記載のカバー。
【請求項８】
前記磁気ヒンジアセンブリは、前記フラップが、前記外部保護層に係止されている前記フラップを備える閉構成から、前記筐体の背面部と接触している前記フラップの少なくとも一部分を備える逆折り曲げ構成へと、前記外部保護層に対して枢動することを許容する、請求項７に記載のカバー。
【請求項９】
前記磁気感知構成要素が、磁気コンパスとして動作する磁力計である、請求項１に記載のカバー。
【請求項１０】
前記フラップ内の第１の位置に配設された第１のセンサ磁石であって、前記フラップが前記直線配列磁石によって前記外部保護層に係止されている場合に、前記タブレットデバイスが担持する第１のセンサが検出可能な、前記第１のセンサ磁石と、
前記フラップ内の第２の位置に配設された第２のセンサ磁石であって、前記フラップの対応部分が前記外部保護層と接触している場合に、前記タブレットデバイス内に配設された第２のセンサが検出可能な、前記第２のセンサ磁石と、
を更に備える、請求項１に記載のカバー。
【請求項１１】
前記第１のセンサによる前記第１のセンサ磁石及び前記第２のセンサ磁石の前記検出は、前記第１のエッジにある前記直線配列磁石によって前記フラップが前記外部保護層に係止されていることを示している、請求項１０に記載のカバー。
【請求項１２】
前記第１のセンサ磁石が検出されず、前記第２のセンサ磁石が検出される場合は、前記第２のセンサ磁石に対応する前記フラップの前記部分だけが前記外部保護層と接触していることを示している、請求項１１に記載のカバー。
【請求項１３】
前記第１のセンサ磁石及び前記第２のセンサ磁石はそれぞれ、前記外部保護層に対する前記フラップの回転変位の回転中心からの距離に応じたサイズ及び形状を備え、前記回転変位は最大ラッキング角度に対応する、請求項１０に記載のカバー。
【請求項１４】
前記第１のセンサ磁石及び前記第２のセンサ磁石の前記サイズ及び前記形状は、前記フラップが前記直線配列磁石によって前記外部保護層に係止されている場合に、前記第１のセンサ磁石及び前記第２のセンサ磁石がそれぞれ前記第１のセンサ及び前記第２のセンサによって依然として検出可能であるサイズ及び形状である、請求項１３に記載のカバー。
【請求項１５】
前記回転変位が、前記最大ラッキング角度未満のラッキング角度に対応する限り、前記第１のセンサ磁石及び前記第２のセンサ磁石が依然として検出可能である、請求項１４に記載のカバー。
【請求項１６】
ラッキング角度が前記最大ラッキング角度よりも大きいと、前記第１のセンサ磁石及び前記第２のセンサ磁石が前記第１のセンサ及び前記第２のセンサによって検出されない、請求項１４に記載のカバー。
【請求項１７】
前記ラッキング角度が前記最大ラッキング角度よりも大きいと誤トリガが開始される、請求項１６に記載のカバー。
【請求項１８】
タブレットデバイスを覆う方法であって、
前記タブレットデバイスは、前面開口を有する筐体と、前記筐体によって担持されたディスプレイと、少なくとも前記ディスプレイに被され、前記前面開口を埋めるサイズ及び形状を有する外部保護層とを備え、
前記方法は、
折り曲げて折り曲げ構成にすることのできる、前記ディスプレイの前記サイズ及び前記形状を有するフラップを有するカバーを提供することを含み、
前記カバーは、
前記フラップの第１のエッジに沿って、かつ平行に位置付けられた直線配列磁石であって、前記直線配列磁石の少なくともいくつかが、前記フラップを前記外部保護層に係止されるように構成された第１の磁場を提供するように構成されている直線配列磁石と、
前記直線配列磁石から離れて、かつ、オフセットされて配置された磁界整形磁石であって、前記磁界整形磁石は、前記直線配列磁石が前記フラップを前記外部保護層に係止した場合に前記筐体によって担持された磁気感知構成要素の位置に対応する前記フラップ上の位置で合成磁界を提供するために、前記第１の磁場と相互作用する第２の磁場を提供するように構成され、前記合成磁界は前記磁気感知構成要素において既定かつ予測可能な磁気オフセットをもたらす、磁界整形磁石と、を備える
タブレットデバイスを覆う方法。
【請求項１９】
前記タブレットデバイスを提供することを更に含み、前記タブレットデバイスは、
前記カバーの前記フラップ内にある第１のセンサ磁石及び第２のセンサ磁石を検出するように構成された第１のセンサ及び第２のセンサと、
前記第１のセンサ磁石及び前記第２のセンサ磁石と結合されたプロセッサと
を更に備える、請求項１８に記載の方法。
【請求項２０】
前記第１のセンサ及び前記第２のセンサから送信された信号に基づき、前記プロセッサが前記タブレットデバイスの動作状態を変更することを更に含む、請求項１９に記載の方法。
【国際調査報告】
2016534449.tif 000019
2016534449.tif 000020
2016534449.tif 000021
2016534449.tif 000022